(57)【特許請求の範囲】
【請求項１】
携帯型端末を収納する凹状の収納部と、
当該収納部に当該携帯型端末が収納された状態において、前記収納部における前記携帯型端末のスピーカが対向する部位に形成された音声入力開口部と、
前記収納部の近傍に形成された音声出力開口部と、
前記収納部の底面部内に形成され、前記音声入力開口部から前記音声出力開口部に向かって拡幅しながら延びるホーン孔部とを備え、
前記スピーカから出力された音声は、前記音声入力開口部及び前記ホーン孔部を通って前記音声出力開口部から出力され、
前記携帯型端末の厚さよりも深く形成された凹部を有する外装ケースと、
当該外装ケースの内部に固定され、前記凹部を前記収納部の大きさにするスペーサとを備え、
当該スペーサは、前記凹部の底面全体を覆い、前記凹部の厚さを前記収納部の厚さに等しくする底板部と、前記底板部に前記携帯型端末の載置領域を形成するように、前記底板部の一部から突出する凸部とを有し、
前記底板部の裏面に、前記ホーン孔部を形成する壁面の一部となる溝部が形成され、
前記音声入力開口部は、前記凸部における前記スピーカとの対向部位に形成され、
前記ホーン孔部は、前記溝部と前記外装ケースの底面との組合せによって形成されることを特徴とする携帯型端末用ケース。
【請求項２】
前記音声出力開口部は、前記携帯型端末の近傍でかつ前記スピーカの反対側の領域に形成され、前記携帯型端末の厚さ方向を向いていることを特徴とする請求項１に記載の携帯型端末用ケース。
【発明の詳細な説明】
【技術分野】
【０００１】
本発明は、携帯型端末に装着され、携帯型端末を保護する携帯型端末用ケースに関する。
【背景技術】
【０００２】
近年、携帯電話機の機能に加えて、パソコンや携帯情報端末の機能を備えたスマートフォンと呼ばれる携帯型端末が広く普及している。この種の携帯型端末はタッチパネルを備えており、このタッチパネルによって情報の表示及びユーザの指による情報の入力が行われる。このようにタッチパネルは重要な部材であるため、スマートフォンと呼ばれる携帯型端末を所有しているユーザの多くは、携帯型端末本体に携帯端末用ケースを装着して携帯型端末を保護している。
【０００３】
携帯端末用ケースは、ポリカーボネートのような硬質樹脂あるいはゴム等によって構成されており、例えば、携帯型端末本体を落下させた場合に、携帯端末用ケースが破損あるいは衝撃を吸収することによって、携帯情報端末が受けるダメージを低減することが可能になる。
【０００４】
また、携帯情報端末を音楽プレーヤとして利用しているユーザが多く存在する。携帯情報端末を用いて音楽を聴く場合、ユーザは、携帯情報端末にイヤホンを取り付けるかあるいは携帯情報端末に備えられているスピーカを介して音声を聴くことになる。
【０００５】
ここで、携帯情報端末のスピーカは小型であるため拡声効果が低い。そこで、従来、携帯情報端末のスピーカの拡声効果を向上させるため、携帯情報端末の保護ケースにラッパ状の拡声部材を設けることが提案されている（特許文献１）。
【先行技術文献】
【特許文献】
【０００６】
【特許文献１】実用新案登録第３１６９４０２号公報
【発明の概要】
【発明が解決しようとする課題】
【０００７】
しかしながら、特許文献１記載の技術によれば、拡声部材が保護ケースに取り付けられた場合に、保護ケースの下部が大型化する。このためユーザは、保護ケースを持ちにくくなり、保護ケースを持った手で携帯情報端末のタッチパネルを操作することが困難になる。このように、特許文献１記載の技術によれば、拡声効果が得られる一方で、タッチパネルの操作性が犠牲になっている。
【０００８】
また、特許文献１記載の技術によれば、携帯時に、携帯情報端末に傷が付くことを防止する目的として保護ケースを使用する場合、拡声部材を取り付けたままでは携帯性が損なわれるため、拡声部材を外す必要がある。更に、デスク等に載置して音楽プレーヤとして利用する場合、拡声部材を保護ケースに取り付ける必要がある。このため、例えば、ホテル等の宿泊先において携帯情報端末を音楽プレーヤとして利用する場合、携帯情報端末と共に拡声部材を持ち込み、しかも拡声部材を保護ケースに取り付ける作業を行う必要があり、ユーザにとって面倒である。
【０００９】
本発明は、このような問題を解決し、携帯性を維持しつつ携帯情報端末のスピーカから出力される音声に広がりを持たせる機能を持たせることを実現した携帯型端末用ケースを提供することを目的とする。
【課題を解決するための手段】
【００１０】
前記目的を達成するため、本発明は、次に記載する構成を備えている。
【００１１】
（１）  携帯型端末を収納する凹状の収納部と、当該収納部に当該携帯型端末が収納された状態において、前記収納部における前記携帯型端末のスピーカが対向する部位に形成された音声入力開口部と、前記収納部の近傍に形成された音声出力開口部と、前記収納部の底面部内に形成され、前記音声入力開口部から前記音声出力開口部に向かって拡幅しながら延びるホーン孔部とを備え、前記スピーカから出力された音声は、前記音声入力開口部及び前記ホーン孔部を通って前記音声出力開口部から出力されることを特徴とする携帯型端末用ケース。
【００１２】
（２）  （１）において、前記携帯型端末の厚さよりも深く形成された凹部を有する外装ケースと、当該外装ケースの内部に固定され、前記凹部を前記収納部の大きさにするスペーサとを備え、当該スペーサは、前記凹部の底面全体を覆い、前記凹部の厚さを前記収納部の厚さに等しくする底板部と、前記底板部に前記携帯型端末の載置領域を形成するように、前記底板部の一部から突出する凸部とを有し、前記底板部の裏面に、前記ホーン孔部を形成する壁面の一部となる溝部が形成され、前記音声入力開口部は、前記凸部における前記スピーカとの対向部位に形成され、前記ホーン孔部は、前記溝部と前記外装ケースの底面との組合せによって形成されることを特徴とする携帯型端末用ケース。
【００１３】
（３）  （１）又は（２）において、前記音声出力開口部は、前記携帯型端末の近傍でかつ前記スピーカの反対側の領域に形成され、前記携帯型端末の厚さ方向を向いていることを特徴とする携帯型端末用ケース。
【００１４】
（１）〜（３）によれば、携帯型端末のスピーカを直接音源とし、ホーン孔部に音声を通して音声出力開口部から出力することによって、音声出力開口部から出力される音声に広がりを持たせることが可能になる。これにより、携帯型端末を持ち込んだ場所において容易に迫力あるクリアな音声出力を行うことが可能になる。また、他に増幅装置を用いることがないため、安価でクリアな音声出力が可能になる。また、クリアな音声出力が実現可能になるため、携帯型端末を単独で使用した場合と比較して、ボリュームを２ステップぐらい下げても同じぐらいの音量で聞くことが可能になる。また、ホーン独特の柔らかい音声出力が実現できるため、携帯型端末のスピーカから出力される音声を気持ち良く楽しむことができる。
【発明の効果】
【００１５】
本発明によれば、携帯性を維持しつつ携帯情報端末のスピーカから出力される音声に広がりを持たせる機能を持たせることを実現した携帯型端末用ケースを提供することが可能になる。
【図面の簡単な説明】
【００１６】
【図１】本発明の一実施形態における携帯型端末用ケース１の外観を示す斜視図である。
【図２】本発明の一実施形態における携帯型端末用ケース１の構成を示す説明図である。
【図３】携帯型端末用ケース１に携帯型端末１００を収納した状態を示す斜視図である。
【図４】携帯型端末用ケース１に携帯型端末１００を収納した状態を示す説明図である。
【図５】携帯型端末用ケース１の分解斜視図である。
【図６】外装ケース１０の構成を示す説明図である。
【図７】スペーサ３０の構成を示す説明図である。
【図８】本発明の一実施形態における携帯型端末用ケース１の他構成を示す説明図である。
【図９】本発明の一実施形態における携帯型端末用ケース１の他構成を示す説明図である。
【図１０】本発明の一実施形態における携帯型端末用ケース１の他構成を示す説明図である。
【図１１】本発明の一実施形態における携帯型端末用ケース１の他構成を示す説明図である。
【発明を実施するための形態】
【００１７】
以下、本発明の実施形態について、図面を参照しながら詳細に説明する。
図１は、本発明の一実施形態における携帯型端末用ケース１の外観を示す斜視図、図２は、本発明の一実施形態における携帯型端末用ケース１の構成を示す説明図であり、図２（ａ）は表面側、図２（ｂ）は左側面側、図２（ｃ）は、図２（ａ）のＡＡ線断面、図２（ｄ）は下側面側である。また、図３は、携帯型端末用ケース１に携帯型端末１００を収納した状態を示す斜視図、図４は、携帯型端末用ケース１に携帯型端末１００を収納した状態を示す説明図であり、図４（ａ）は表面側、図４（ｂ）は左側面側、図４（ｃ）は、図４（ａ）のＡＡ線断面、図４（ｄ）は下側面側である。
【００１８】
携帯型端末用ケース１は、図１に示すように、外装ケース１０と、スペーサ３０との組み合わせによって構成され、図２に示すように、収納部５０と、ホーン孔部５２と、音声出力開口部５４と、音声入力開口部５６と、入力側連結孔部５８と、出力側連結孔部６０とを備えている。
【００１９】
外装ケース１０は、携帯型端末１００より大きい凹部１２（図５参照）を有している。
スペーサ３０は、外装ケース１０の凹部１２の内部に固定され、収納部５０を形成するものである。
すなわち、収納部５０は、凹部１２にスペーサ３０を固定することによって、凹部１２を携帯型端末１００の大きさに狭めてなる、携帯型端末１００が収納可能な凹状の空間である。
【００２０】
ホーン孔部５２は、詳細については後述するが、収納部５０に収納された携帯型端末１００のスピーカ１２０（図４（ｄ）参照）から出力される音声が通る音道であり、収納部５０の底面部の内部に形成されている。
音声出力開口部５４は、収納部５０の近傍に形成され、ホーン孔部５２を通った音声が外部出力される開口である。
音声入力開口部５６は、収納部５０に携帯型端末１００が収納された状態において、収納部５０における携帯型端末１００のスピーカ１２０（図４（ｄ）参照）が対向する部位に形成された開口である。
入力側連結孔部５８は、音声入力開口部５６とホーン孔部５２における音声入力開口部５６側の端部とを連結する孔部である。
出力側連結孔部６０は、音声出力開口部５４とホーン孔部５２における音声出力開口部５４側の端部とを連結する孔部である。
【００２１】
このように、音声入力開口部５６、入力側連結孔部５８、ホーン孔部７、出力側連結孔部６０は互いに連通しており、音声入力開口部５６に入った音声は、入力側連結孔部５８、ホーン孔部７、出力側連結孔部６０を通って音声出力開口部５４から外部に出力される。
【００２２】
図３、図４に示すように、携帯型端末１００が、収納部５０に収納された状態において、携帯型端末用ケース１の表面、すなわち外装ケース１０の表面は、携帯型端末１００のタッチパネル１１０面と略面一もしくは携帯型端末１００のタッチパネル１１０の入力面より若干高い位置に配置される。
【００２３】
なお、本実施形態の携帯型端末用ケース１に適用する携帯型端末１００は、片手で操作可能なスマートフォンと呼ばれる薄型の直方体形の端末であり、正面にタッチパネル１１０、左側面にモード切替スイッチ１１２及びボリュームボタン１１４、下側面にスピーカ１２０、イヤホンの差し込み口１２２及び充電用コネクタの差し込み口１２４、上側面に電源ボタン１１６（図８（ｄ）参照）、背面にカメラ用レンズ（図示せず）がそれぞれ備えられたものとする。
【００２４】
以下、説明の便宜上、本実施形態の携帯型端末用ケース１において、携帯型端末１００を収納した場合におけるタッチパネル１１０側を正面側、正面の反対側を背面側とそれぞれ称するものとする。更に携帯型端末１００の左側面側、右側面側、上側面側及び下側面側をそれぞれ左側、右側、上側及び下側とそれぞれ称するものとする。
【００２５】
次に、外装ケース１０及びスペーサ３０の詳細について、図５〜図７を参照しながら説明する。
図５は、携帯型端末用ケース１の分解斜視図である。図６は、外装ケース１０の構成を示す説明図であり、図６（ａ）は表面側、図６（ｂ）は左側面側、図６（ｃ）は、図６（ａ）のＡＡ線断面、図６（ｄ）は下側面側をそれぞれ示す。図７は、スペーサ３０の構成を示す説明図であり、図７（ａ）は表面側、図７（ｂ）は裏面側、図７（ｃ）は右側面側、図７（ｄ）は上側面側、図７（ｅ）は下側面側をそれぞれ示す。
【００２６】
まず、外装ケース１０について説明する。
外装ケース１０は、凹部１２と、２つの音声出力開口部５４と、２つの出力側連結孔部６０と、窓部２０、２２と、切欠２４とを備えている。また、外装ケース１０は、硬質プラスチックによって構成されており、射出成形によって前述した凹部１２、音声出力開口部５４、５４、出力側連結孔部６０、６０、窓部２０、２２及び切欠２４が形成される。
【００２７】
凹部１２及び２つの音声出力開口部５４は、外装ケース１０の正面に形成されている。
凹部１２は、左右幅が携帯型端末１００の横幅に略等しく、上下幅が携帯型端末１００の縦幅よりも長く、高さが携帯型端末１００の厚さの約２倍の直方体形に形成されており、外装ケース１０の正面中央に対して下方寄りに配置されている。
【００２８】
音声出力開口部５４、５４は、外装ケース１０の正面の上部に、左右に２つ並べて凹状に形成したものである。音声出力開口部５４、５４の高さ（深さ）は、凹部１２の高さと同様に携帯型端末１００の厚さの約２倍である。
【００２９】
また、凹部１２と右側の音声出力開口部５４との間に形成されている板状の仕切部分１４には、凹部１２と右側の音声出力開口部５４とを連通させる出力側連結孔部６０が形成されている。この出力側連結孔部６０は、仕切部分１４の高さ方向の中央部から凹部１２の底面まで延びている。
【００３０】
窓部２０、２２は、外装ケース１０における携帯型端末１００のモード切替スイッチ１１２及びボリュームボタン１１４との対向部位に形成されている。
切欠２４は、外装ケース１０における携帯型端末１００の充電用コネクタの差し込み口１２４との対向部位に形成されている。
【００３１】
次に、スペーサ３０について説明する。
スペーサ３０は、凹部１２の底面に載置される板状の底板部３２と、底板部３２の正面下側から突出する２つの凸部３４、３４とを有しており、側面視略Ｌ字型に構成されている。
【００３２】
底板部３２は、厚さが凹部１２の厚さの約１／２であり、かつ正面視した場合に凹部１２の底面と同一の形状である。このため、底板部３２は、凹部１２の底面全体を覆うように載置される。
【００３３】
凸部３４、３４の厚さは、底板部３２の厚さを加えると凹部１２の高さ（深さ）になるように設定されている。また、スペーサ３０を正面視した場合に、底板部３２における凸部３４、３４の領域及び２つの凸部３４に挟まれた領域を除いた領域の形状が、携帯型端末１００の正面の形状に略一致する。すなわち、凸部３４、３４によって、底板部３２に携帯型端末１００の載置領域が形成される。
【００３４】
右側の凸部３４におけるスピーカ１２０との対向部位には、音声入力開口部５６が形成されている。
【００３５】
スペーサ３０の裏面には、溝部３８が形成されている。この溝部３８は、スペーサ３０の裏面において、右側の凸部３４に形成された音声入力開口部５６に対向する部位を基端とし、スペーサ３０裏面の中央下方の所定部位まで延びる第１溝３８ａと、第１溝３８ａから分岐してスペーサ３０の上側面まで延びる２本の第２溝３８ｂ、３８ｂとによって構成されている。
【００３６】
更に、スペーサ３０には、右側の凸部３４の音声入力開口部５６からスペーサ３０の裏面に向かって延び、音声入力開口部５６と第１溝３８ａとを連結する入力側連結孔部５８が形成されている。
【００３７】
第１溝３８ａは、基端から所定部位まで拡幅しており、第２溝３８ｂは、基端からスペーサ３０の上側面に向かって拡幅している。
【００３８】
なお、スペーサ３０は、外装ケース１０と同じ材質、すなわち硬質プラスチックによって構成されており、射出成形によって前述した音声入力開口部５６、入力側連結孔部５８、溝部３８が形成される。
【００３９】
そして、外装ケース１０の凹部１２の底面にスペーサ３０を載置し、外装ケース１０とスペーサ３０とを接着剤等を用いて固定することにより、携帯型端末用ケース１が構成される。この際、スペーサ３０の底板部３２の正面と、凸部３４、３４の側面と、凹部１２の壁面とによって収納部５０（図１参照）が形成される。更に、溝部３８の壁面と外装ケース１０の凹部１２の底面とによってホーン孔部５２（図２、図４参照）が形成される。
【００４０】
なお、外装ケース１０とスペーサ３０との当接部分にゴム製のパッキンを介在させてもよい。あるいは、外装ケース１０とスペーサ３０との接合に用いる接着剤として、硬化することによってゴムになる接着剤を用いてもよい。これにより、外装ケース１０とスペーサ３０との密着度が向上し、ホーン孔部５２（図２、図４参照）の周囲に隙間がなくなる。したがって、ホーン孔部５２（図２、図４参照）を通過する音声を外部に安定して出力することが可能になる。
【００４１】
このように構成された携帯型端末用ケース１に携帯型端末１００を装着した場合、図３，図４に示すように、携帯型端末１００の右のスピーカ１２０に音声入力開口部５６が対向する。また、携帯型端末１００の充電に用いられる充電用コネクタの差し込み口１２４が、凸部３４、３４の間及び切欠２４を介して外部に露出する。また、携帯型端末１００のモード切替スイッチ１１２及びボリュームボタン１１４が、窓部２０、２２を介して外部に露出する。
【００４２】
携帯型端末１００の右のスピーカ１２０から出力された音声は、音声入力開口部５６、入力側連結孔部５８、ホーン孔部７、出力側連結孔部６０、６０を通って音声出力開口部５４、５４から外部に出力される。この際、右のスピーカ１２０から出力された音声は、ホーン孔部７を通ることによって、音声出力開口部５４、５４から広がりのあるクリアな音声が出力されるようになる。
【００４３】
以上説明したように構成された本実施形態によれば、携帯型端末１００のスピーカ１２０を直接音源にすることによって、携帯型端末１００を持ち込んだ場所において、容易に迫力あるクリアな音楽再生が可能になる。また、他に増幅装置を用いることがないため、安価でクリアな音楽再生が可能になる。また、クリアな再生音が実現可能になるため、携帯型端末１００を単独で使用した場合と比較してボリュームを２ステップぐらい下げても同じぐらいの音量で聞くことが可能になる。また、ホーン独特の柔らかい再生音が実現できるため、携帯型端末１００で再生している音楽やラジオの音声を気持ち良く楽しむことができる。
【００４４】
また本実施形態によれば、携帯型端末用ケース１が携帯型端末１００の２倍の厚さを有するため、充電用コネクタを携帯型端末１００に接続した状態であっても、携帯型端末用ケース１に装着することによって携帯型端末１００を横にした状態に維持することが可能になる。また、携帯型端末１００をデスク等に縦置きにすることも可能である。なお、音声出力開口部５４、５４をデスクに下側面を当接させても、上側面を当接させても縦置きが可能である。
【００４５】
また本実施形態によれば、携帯型端末用ケース１に携帯型端末１００を装着した場合と、携帯型端末単独の場合とを比較すると、厚さ方向及び上下方向に大型化するものの、左右方向の大きさはほとんど変わらない。このためユーザは、携帯型端末用ケース１に携帯型端末１００を装着した状態で、片手でタッチパネル１１０を操作することが可能になる。
【００４６】
また本実施形態によれば、携帯型端末用ケース１が、ホーンスピーカ機能を有しているため、ユーザは、携帯型端末１００を持ち込んだ場所でそのまま携帯型端末１００を音楽プレーヤとして利用し、ホーン独特の柔らかい音声出力を楽しむことが可能になる。
【００４７】
以上、本発明の実施形態について説明したが、本発明の実施形態は上述した実施形態に限るものではない。例えば、上述した実施形態によれば、携帯型端末１００の更に上側に音声出力開口部５４、５４が配置されているが、それに限らず、外装ケース１０における音声出力開口部５４、５４の部分を削除し、図８に示すように、出力側連結孔部６０、６０が音声出力開口部５４、５４の機能を兼ねるようにしてもよい。これにより、携帯型端末用ケース１の小型化を図ることが可能になり、携帯性が向上する。また、図８に示す、携帯型端末用ケースによれば、外装ケースの上側面部が図６に示す仕切部分１４に対応し、この仕切部分１４に、携帯型端末１００の電源ボタン１１６を外部に露出させる窓部２６を形成してもよい。
【００４８】
また、図９に示すように、第１溝３８ａを蛇行させることにより、ホーン孔部５２を長くしてもよい。これにより、音声出力開口部５４、５４から出力される音声をよりクリアな音声にすることが可能になる。
【００４９】
また、上述した実施形態の携帯型端末用ケース１は、硬質プラスチックを材料とした射出成形によって製造されるが、材料としてはシリコンゴムのような合成樹脂を用いてもよい。更には、木材を切削することによって、外装ケース１０及びスペーサ３０を作成し、外装ケース１０内にスペーサ３０を固定してもよい。
【００５０】
また、上述した実施形態の携帯型端末用ケース１によれば、スペーサ３０の底板部３２を厚めに構成し、底板部３２の裏面に溝部３８を形成しているが、それに限らず、外装ケース１０の底板部を厚めに構成し、外装ケース１０の底面に溝部を形成し、スペーサ３０の底板部３２を平板状に形成することにより、携帯型端末用ケース１の底板部にホーン孔部５２を形成してもよい。
【００５１】
また、上述した実施形態の携帯型端末用ケース１は、外装ケース１０及びスペーサ３０の２部材によって構成されているが、外装ケース１０及びスペーサ３０を一体的に作成できるのであれば、１部材によって構成してもよい。
【００５２】
また、上述した実施形態の携帯型端末用ケース１の音声出力開口部５４、５４の形状は矩形であるが、図１０（ａ）に示すように、丸形であってもよい。また、図１０（ｃ）に示すように、出力側連結孔部６０から音声出力開口部５４、５４までの音路をテーパ状に形成してもよい。さらに、上述した実施形態の携帯型端末用ケース１は、図４又は図８に示すように、貫通孔からなる窓部２０、２２を有しているが、窓部２０、２２の部分を図１０（ｂ）に示すように、凹部２８とすることにより、モード切替スイッチ１１２及びボリュームボタン１１４を外部に露出させてもよい。
【００５３】
また、図８に示す携帯型端末用ケース１の上側面に、図１１に示すように、ヒンジを介してフラップ２９を設け、このフラップ２９によって音声出力開口部５４、５４を開閉させる。ここで、フラップ２９は、回動位置で維持されるように構成されている。このため、例えば、フラップ２９の角度を音声出力開口部５４、５４に対して０度〜９０度の範囲変えることにより、音声出力開口部５４、５４から出力される音声の指向性を変えることが可能になる。
【００５４】
また、上述した実施形態においては、所謂、スマートフォンを例に説明したが、それに限らず、例えば、タブレットＰＣと称される、タッチパネルを有する薄型のパーソナルコンピュータや、ボタン入力の携帯電話機等にも適用可能であり、要は、音声出力機能を有する小型の端末機器であれば、本発明は適用可能である。
【符号の説明】
【００５５】
１  携帯型端末用ケース
５  収納部
７  ホーン孔部
１０  外装ケース
１２、２８  凹部
１６  仕切部分
２０、２２、２６  窓部
２４  切欠
２９  フラップ
３０  スペーサ
３２  底板部
３４  凸部
３８  溝部
３８ａ  第１溝
３８ｂ  第２溝
５４  音声出力開口部
５６  音声入力開口部
５８  入力側連結孔部
６０  出力側連結孔部
【要約】
【課題】携帯情報端末のスピーカから出力される音声に広がりを持たせる機能を有する携帯型端末用ケースを提供する。
【解決手段】携帯型端末用ケース１は、携帯型端末１００を収納する凹状の収納部５０と、収納部５０に携帯型端末１００が収納された状態において、収納部５０における携帯型端末１００のスピーカ１２０が対向する部位に形成された音声入力開口部５６と、収納部５０の近傍に形成された音声出力開口部５４と、携帯型端末１００の背面部に対向する底板部３２の内部に形成され、音声入力開口部５６から音声出力開口部５４に向かって拡幅しながら延びるホーン孔部５２と、音声入力開口部５６と前記ホーン孔部５２とを連結する入力側連結孔部５８とを有する。
【選択図】図４【図１】
0005809326.tif 000002
【図２】
0005809326.tif 000003
【図３】
0005809326.tif 000004
【図４】
0005809326.tif 000005
【図５】
0005809326.tif 000006
【図６】
0005809326.tif 000007
【図７】
0005809326.tif 000008
【図８】
0005809326.tif 000009
【図９】
0005809326.tif 000010
【図１０】
0005809326.tif 000011
【図１１】
0005809326.tif 000012